(57)【要約】【課題】  簡単な構造で、しかも、コストの低いウォールキャビネットの提供。【解決手段】  前面部に開閉自在に取付けてある扉２１と底面部に地板２２とを有する天袋本体２と、天袋本体２の下面部に取付けてある照明器具４と、を備えたウォールキャビネットにおいて、扉２１は、地板２２より下方に延出されて、扉２１を開閉するための把手機能、及び扉２１を閉じた場合に照明器具４からの直射光を遮る遮蔽機能を発現する延出部２１ａを有するものである。【選択図】図１
2006081672.tif 000002
【特許請求の範囲】
【請求項１】
前面部に開閉自在に取付けてある扉と底面部に地板とを有する天袋本体と、該天袋本体の下面部に取付けてある照明器具と、を備えたウォールキャビネットにおいて、
前記扉は、前記地板より下方に延出されて、前記扉を開閉するための把手機能、及び前記扉を閉じた場合に前記照明器具からの直射光を遮る遮蔽機能を発現する延出部を有するものであるウォールキャビネット。
【請求項２】
前記扉の開閉を検知する開閉検知スイッチと、前記照明器具による照明照度を調整する調光器と、を設け、同調光器が、該照明器具が点灯状態の場合、前記扉の開状態を前記開閉検知スイッチが検知したときに照度を低くするよう成した請求項１記載のウォールキャビネット。
【請求項３】
前記扉の開閉を検知する開閉検知スイッチを設け、前記照明器具が点灯状態の場合、前記扉の開状態を同開閉検知スイッチが検知したときに消灯するよう成した請求項１記載のウォールキャビネット。
【発明の詳細な説明】
【技術分野】
【０００１】
本発明は、天袋本体の下面部に照明器具を備えたウォールキャビネットに関するものである。
【背景技術】
【０００２】
従来から、天袋本体の下面部に照明器具を備えたウォールキャビネット１０１には、実開平６−４９６４２号公報に記載されているものがある。このウォールキャビネット１０１は、天袋本体１０２の下面部に幕板の機能を有する前板１５１、両側板１５２、背板１５３を枠組した下枠体１０５を取付けて下枠体１０５の内部に照明器具１０４を収納する。背板１５３の上下高さを前板１５１、両側板１５２よりも短くし且つ背板１５３の上端縁と天袋本体１０２の下端との間に電源コード導入用隙間１０６を形成する。電源コード導入用隙間１０６から壁１０７から導出した電源コード１０８を下枠体１０５内に導入し、電源コード１０８と下枠体１０５内の照明器具１０４とを接続したものである。すなわち、壁１０７から導出した電源コードの導出位置がずれていても現場で孔あけ作業をする必要がなく、天袋本体１０２の現場作業を簡略化するものである。
【０００３】
しかしながら、実開平６−４９６４２号公報に開示されているようなウォールキャビネット１０１においては、扉１２１の把手１２１ａ及び下枠対１０５（前板１５１、両側板１５２、背板１５３）を別な部材にて提供するか付加させることとなり、コストが高くなることが想定された。
【特許文献１】実開平６−４９６４２号公報
【発明の開示】
【発明が解決しようとする課題】
【０００４】
本願発明は、上記背景技術に鑑みて発明されたものであり、その課題は、簡単な構造で低コストのウォールキャビネットを提供することである。
【課題を解決するための手段】
【０００５】
上記課題を解決するために、本願発明は、前面部に開閉自在に取付けてある扉と底面部に地板とを有する天袋本体と、該天袋本体の下面部に取付けてある照明器具と、を備えたウォールキャビネットにおいて、前記扉は、前記地板より下方に延出されて、前記扉を開閉するための把手機能、及び前記扉を閉じた場合に前記照明器具からの直射光を遮る遮蔽機能を発現する延出部を有するものである。
【０００６】
また、前記扉の開閉を検知する開閉検知スイッチと、前記照明器具による照明照度を調整する調光器と、を設け、同調光器が、該照明器具が点灯状態の場合、前記扉の開状態を前記開閉検知スイッチが検知したときに照度を低くするよう成したものが好ましい。
【０００７】
また、前記扉の開閉を検知する開閉検知スイッチを設け、前記照明器具が点灯状態の場合、前記扉の開状態を同開閉検知スイッチが検知したときに消灯するよう成したものが好ましい。
【発明の効果】
【０００８】
本願発明のウォールキャビネットによれば、地板より下方に延出した延出部を有しているので、延出部が扉の把手と前記照明器具からの直射光を遮る遮蔽する幕板との両方の機能を備えている。従って、ウォールキャビネット構造が簡単になり、別な部材を提供するか付加させる必要がなくなると共に、組み立て工数が少なくなる。
【０００９】
また、前記扉の開閉を検知する開閉検知スイッチと、照明器具の照度可変することができる調光器と、を設けているので、使用者が扉を開ける場合に照明器具が点灯していれば、扉の開状態開閉検知スイッチが検知し、調光器が前記照明器具の照度が下げるので、使用者は眩しくなくなる。
【００１０】
また、前記扉の開閉を検知する開閉検知スイッチを設けているので、使用者が扉を開ける場合に照明器具が点灯していれば、扉の開状態を開閉検知スイッチが検知し、照明器具を消灯するので、使用者は眩しくなくなる。
【発明を実施するための最良の形態】
【００１１】
本願の一実施形態のウォールキャビネット１を図１に基づいて説明する。図１は本実施形態に係る断面図である。この実施形態のウォールキャビネット１は、天袋本体２の内部が収納部となっており、建物の壁５に沿わせて取付けるものである。このものは、前面部に開閉自在に取付けてある扉２１と底面部に地板２２とを有する天袋本体２と、天袋本体２の下面部に取付けてある照明器具４と、を備えたウォールキャビネットにおいて、扉２１は、地板２２より下方に延出されて、扉２１を開閉するための把手機能、及び扉２１を閉じた場合に照明器具４からの直射光を遮る遮蔽機能を発現する延出部２１ａを有するものである。
【００１２】
扉２１の開閉を検知する開閉検知スイッチ３と、照明器具４による照明照度を調整する調光器４１と、を設け、調光器４１が、照明器具４が点灯状態の場合、扉２１の開状態を開閉検知スイッチ３が検知したときに照度を低くするようになしたものである。
【００１３】
このように構成されたウォールキャビネット１は、延出部２１ａを把手として使用して扉２１を開閉することができる。更に、延出部が照明器具４からの直射光を遮る遮蔽する幕板として機能する。
【００１４】
また、扉２１の開閉を検知する開閉検知スイッチ３と、照明器具４の照度可変することができる調光器４１と、を設けているので、使用者が扉２１を開ける場合に照明器具４が点灯していれば、扉２１の開状態を開閉検知スイッチ３が検知し、調光器４１が照明器具４の照度が下げるので、使用者は眩しくなくなる。
【００１５】
従って、延出部が扉と幕板の機能を果すので、ウォールキャビネット１は、構造が簡単になり、別な部材を提供するか付加させる必要がなくなる。更に、天袋本体２の収納量は小さくならない。
【００１６】
なお、扉２１の開閉を検知する開閉検知スイッチ３は、照明器具４が点灯状態の場合、扉２１の開状態を開閉検知スイッチ３が検知したときに消灯するよう成してもよい。照明器具４を消灯にする場合、調光器４１を介せず、開閉検知スイッチ３により直接照明器具４を消灯にしても良い。この場合は、調光器４１は必要なくなるので、更に、少ない部材でウォールキャビネット１を構成することができ、組み立て工数が少なくなる。
【図面の簡単な説明】
【００１７】
【図１】（ａ）は本発明の一実施形態に係る断面図、（ｂ）は同上の斜視図である。
【図２】実開平６−４９６４２号公報に記載のウォールキャビネットの断面図である。
【符号の説明】
【００１８】
１      ウォールキャビネット
２      天袋本体
２１    扉
２１ａ  延出部
２２    地板
２３    側板
３      開閉検知スイッチ
４      照明器具
４１    調光器
【図１】
2006081672.tif 000003
【図２】
2006081672.tif 000004